(57)【要約】      （修正有）【解決手段】座部３と受部２の間に凸部４を設け、弾性体５で結合する機構の椅子により、着座者が床の素材や表面状態によらず上半身を傾けるだけで全方向の支点移動をともなう滑らかな揺動が得られる。【効果】座部と受部の間に凸部を設け支点移動により座部の揺動をもたらす本椅子は、ロッキングチェアのように大きく身体を振らずに、上半身の傾きだけで揺れ、また、座部が一支点による傾きのみのシーソー運動もしくはコマのような歳差運動でなく、滑らかな揺動のため腰部および臀部の負担がなく、長時間座っていることができる。さらに、揺動を繰り返すことにより使用者は、やすらぎを得られると同時に、身体の動きと、体重圧迫の軽減により鬱血や腰痛の防止にも効果がある。【選択図】図１
2005058719.tif 000002
【特許請求の範囲】
【請求項１】
（イ）座部（３）下面または受部（２）上面の一方に凸部（４）を設ける。
（ロ）凸部の頂上部が、座部（３）および座部に接合する部材と着座者の総重量の重心下の中央領域になるように設ける。
（ハ）受部（２）と座部（３）を弾性体（５）で結合する。
以上のごとく構成された揺動椅子。
【請求項２】
受部（２）に脚（１）を取付けた請求項１の揺動椅子。
【請求項３】
座部（３）下面または受部（２）上面の一方に凸部（４）を設け、もう一方にも凸部を設けた請求項１の揺動椅子。
【請求項４】
座部（３）下面または受部（２）上面の一方に凸部（４）を設け、もう一方には凸部よりゆるやかな凹部（６）を設けた請求項１の揺動椅子。
【請求項５】
弾性体として、バネ材を使用した請求項１の揺動椅子。
【請求項６】
弾性体として、エラストマー材を使用した請求項１の揺動椅子。
【発明の詳細な説明】
【技術分野】
【０００１】本発明は椅子の座部または受部が凸部凸面上を支点移動し、弾性体で緩衝しつつ揺動する機構に関するものである。
【背景技術】
【０００２】揺動する椅子としては、床上で脚アーチが前後に支点移動するロッキングチェアがあった。また、座部が動くものとして、座部下の一支点を中心にシーソーもしくは歳差運動するものも考えられていた（実案文献１）。【０００３】
【実案文献】
実開昭和４８−２２６０６
【発明の開示】
【発明が解決しようとする課題】
【０００４】ロッキングチェアは、設置する床の素材や表面状態の影響を受け、例えば畳や絨緞の上では揺らしにくい欠点があった。また、椅子全体が一方向（前後）揺動のみであり、揺らすためには大きく全身を振る必要があるため、長時間の使用では腰部、臀部に疲労感が残った。また、ロッキングチェアはその脚の大きさから接地面積を広くとる必要があるという欠点もあった。
また、座部を動かす方法として、座部下の一支点で受ける構造が考えられたが、座部の動きは傾くだけのシーソー運動もしくはコマのような歳差運動しか得られなかった。
【課題を解決するための手段】
【０００５】（請求項１に記載した発明の構成）
図１に示すように、本発明の椅子は、脚（１）に受部（２）を取りつけ、受部と座部（３）の間に凸部（４）を設け、受部と座部を弾性体（５）で結合する機構により、床の状態に影響されない支点移動かつ全方向の揺動が得られるようになった。
凸部の頂上部は、座部とその接合部材および着座者の総重量の重心、すなわち使用者が座った状態で、水平を保つ位置に設ければよい。
凸部の凸面がゆるやかで低ければ小さな揺動となり、凸面が鋭く高くなれば大きな揺動となり、使用者の目的に応じ、揺動量を調整することもできる。また、凸面が球面であれば単純な揺動となり、放物面や楕円面など変則的な凸面や２次曲面、同一視可能多面体を設ければ、より複雑な揺動が得られる。
凸部の材料として、木材、金属、セラミック、プラスチックなどが利用できる。
また凸部、凹部は座部、受部と一体でもよい。【０００６】（請求項３に記載した発明の構成）
図７のように、凸部は座部、受部両向かい面に２つ設けると、より変化のある揺動を得られる。【０００７】（請求項４に記載した発明の構成）
図８のように、その１つは凸部よりゆるやかな曲面の凹部で受け、頂上部の位置の安定化を得ることも可能である。【０００８】（請求項５および６に記載した発明の構成）
弾性体としては図３のように単独または複数のコイル、板バネなどの各種のバネや図４のようにゴ厶、スポンジなどエラストマー材も利用できる。
【発明の効果】
【０００９】座部と受部の間に凸部を設け支点移動により座部の揺動をもたらす本発明の椅子は、ロッキングチェアのように大きく身体を振らずに、上半身の傾きだけで揺れ、また、座部が一支点による傾きのみのシーソー運動もしくはコマのような歳差運動でなく、滑らかな揺動のため腰部および臀部の負担がなく、長時間座っていることができる。
さらに、揺動を繰り返すことにより使用者は、やすらぎを得られると同時に、身体の動きと、体重圧迫の軽減により鬱血や腰痛の防止にも効果があった。
【発明を実施するための最良の形態】
【００１０】図２に示すように椅子の座部と受部の間に、少なくとも頂上部がドーム状の凸部を設けることにより、床の素材や柔らかさなどの状態に影響を受けず揺動し、一方向に揺らすことも全周に揺動することも可能となった。
凸部の頂上部は使用者が着座したときの座部およびその接合部材と着座者全体の重心下の中央領域になるように置くと、より安定し、全方向に均等に揺動しやすくなる。
着座者が上半身を傾けると支点は凸部頂上から凸面外周に移動し、凸部外側の弾性体の伸縮と緩衝して滑らかな揺動を得ることができる。
弾性体は座部と受部を結合するとともに、揺動を緩衝し使用者が座った時、揺動時の全体の重心と凸部頂上とのズレを補正する効果がある。
この椅子は図５に例示するように、座部に背部、アームの他、ヘッドレスト、座部クッションや背部のクッション、足置き、リクライニング機構等を接合してもよい。
そして、これらのものは、図６に示すように受部に取り付ければ座部のみ揺動させることもできる。
さらに、座部または受部にベアリング等使用した水平回転機構を付け、着座者が方向回転したり、脚に上下調整機構を付け、座部の高さ調整をすることもできる。また、脚にキャスターを付け移動可能にしたり、脚のないものは揺動座椅子としても応用できる。揺動が不要のときは、座部と受部間にスペーサー等のストッパー機構を設け、固定椅子として利用することもできる。
【産業上の利用可能性】
【００１１】本発明の椅子は、長時間の着座と使用者のリラクゼーションに最適なので、リビング用に限らず、事務用や劇場用等あるいは、車椅子、乗り物用の椅子等にも応用できる。
【図面の簡単な説明】
【００１２】
【図１】本発明の椅子の平面図と断面図である（弾性体は断面図を表さない）。
【図２】本発明の揺動時の正面図と側面図である。
【図３】本発明の弾性体バネ使用例の断面図である。
【図４】本発明の弾性体エラストマー材使用例の断面図である。
【図５】本発明の実施例の側面図である。
【図６】本発明の座部のみの揺動の正面図である。
【図７】本発明の凸部と凸部の向かい合わせ断面図である。
【図８】本発明の凸部と凹部の向かい合わせ断面図である。
【符号の説明】
【００１３】（１）は脚
（２）は受部
（３）は座部
（４）は凸部
（５）は弾性体（複数バネの例）
（６）は凹部
【図１】
2005058719.tif 000003
【図２】
2005058719.tif 000004
【図３】
2005058719.tif 000005
【図４】
2005058719.tif 000006
【図５】
2005058719.tif 000007
【図６】
2005058719.tif 000008
【図７】
2005058719.tif 000009
【図８】
2005058719.tif 000010